(57)【特許請求の範囲】
【請求項１】
帽体側に固定されるマウスシャッタ支持部と、これに対して回動可能に支持されるマウスシャッタのいずれか一方には、回動を案内する第1案内軸（Ｓ１）と第２案内軸（Ｓ２）が、他方には前記による２つの案内軸に対応して複数の円弧形からなる嵌合部が備えられ、
第1案内軸（Ｓ１）に対しては第1嵌合部（Ｕ１）とそれに連設される第２嵌合部（Ｕ２）が、第２案内軸（Ｓ２）に対しては第３嵌合部（Ｕ３）が夫々移動可能に嵌合して備えられ、
マウスシャッタ開動作の当初においては、第１案内軸（Ｓ１）は第１嵌合部（Ｕ１）によって、第２案内軸（Ｓ２）は第３嵌合部（Ｕ３）によって夫々案内されることにより、両嵌合部の持つ円弧の共通の中心点である第1中心点（Ｐ１）を回動中心として回動し、
開動作の途中、第1案内軸（Ｓ１）が第1嵌合部（Ｕ１）と第２嵌合部（Ｕ２）の連結点に到達した時点から、回動中心を第1中心点（Ｐ１）から第２嵌合部（Ｕ２）の持つ円弧の第２中心点（Ｐ２）に切替えて、第２案内軸（Ｓ２）を中心として回動するような構成としていることを特徴とする、
フルフェースヘルメットにおけるマウスシャッタの支持構造。
【請求項２】
第1案内軸（Ｓ１）が移動可能に嵌合する第1嵌合部（Ｕ１）および第２嵌合部（Ｕ２）と、第2案内軸（Ｓ２）が移動可能に嵌合する第３嵌合部（Ｕ３）は溝形態であって、
この溝形態とする第２嵌合部（Ｕ２）と第３嵌合部（Ｕ３）とには段差を設けて、両嵌合部の交差部においても夫々の軸を他の嵌合部に逸脱させないようにしていることを特徴とする請求項１に記載のフルフェースヘルメットにおけるマウスシャッタの支持構造。
【発明の詳細な説明】
【０００１】
【発明の属する技術分野】
本発明は、フルフェースヘルメットのマウスシャッタの支持構造に関する。
【０００２】
【従来技術】
ヘルメットにおける回動開閉体は、フルフェースヘルメットであればヘルメット内にこもる熱気を換気する換気孔を開閉するマウスシャッタであり、フルフェースヘルメットとジェット型ヘルメットの場合には、着用者の顔面を保護するシールドである。
通常の回動開閉体の支持構造は、その回動における回動中心を単一として支持されて、その開閉動作の回動軌跡が一定の弧を描くように開閉するようになっているが、この支持構造であると、ヘルメットの設計自由度が狭くなるということがあった。
そのため、本出願人は、前記回動開閉体であるシールドの支持構造として、２箇所の分離した円弧孔を開設し、それら円弧孔それぞれにシールドの回動中心を２箇所ずつ設け、シールドの開閉動作中に回動中心が順次切換るようにした構造を提案している。（特許文献１参照）
【０００３】
【特許文献１】
特許第２８７８２６２号公報（〔００１０〕〜〔００１３〕、〔図１〕、〔図３〕、〔図４〕）
【０００４】
ところで、シールドの曇りや熱気のこもりを迅速に取り除くには、外気の導入量を増やしてヘルメット内の換気効率を高める必要が有り、その手段の一つとして換気孔を大きく形成することにより外気の導入量を増やすことが考えられる。
しかしながら、マウスシャッタの大きさは換気孔の大きさに対応するため、マウスシャッタが前記回動中心を単一とする支持形態であると、例えば、図１２および図１３に示すように、マウスシャッタ１０２の支持位置によっては、マウスシャッタ開状態においてマウスシャッタ１０２が顎ガード部１０１表面から外側に大きく突出してヘルメットのデザインを損ねる可能性がある。
そのため、マウスシャッタの全開状態における角度を小さくして突出量を少なくすることが挙げられるが、これでは、換気孔を大きくしても外気の導入量を増やすことはできない。
逆に、マウスシャッタをヘルメット内側方向へ開閉させる方法も考えられるが、この方法では、マウスシャッタがヘルメット内側に大きく突出するため、顎ガード部の内側にマウスシャッタのスペースを確保する必要もあるし、開閉における操作性という点で現実的には採用できない。
つまり、外気の導入量の増加とデザイン性および操作性を満足させるということを実現するマウスシャッタの回動中心の設定を行うことが難しく、このことが、ヘルメットの設計の自由度を狭くさせる要因となっている。
【０００５】
そこで、本願出願人は、前記先行技術文献に記載の支持構造を、前記した構成をマウスシャッタの開閉に採用することによって、ヘルメットの設計の自由度の拡大、ヘルメットのデザイン性の確保、ヘルメット内の換気効率および操作性の向上等を図った。
しかしながら、マウスシャッタはシールドに比べて極めて小さいものであるため、前記先行技術文献に記載の支持構造を、マウスシャッタの支持構造として採用するには、その構造を構成するに必要なスペースが確保できず、現実的には極めて難しいものである。
【０００６】
【発明が解決しようとする課題】
そこで本発明は、外気の導入量の増加、デザイン性および操作性の向上、ヘルメットの設計自由度の実現を課題とし、この課題を解決する新規なマウスシャッタの支持構造を提供することを目的とする。
【０００７】
【課題を解決するための手段】
本発明は上記した目的を達成するために下記の技術的手段を採用する。
その技術的手段は、フルフェースヘルメットの顎ガードに設けられる換気孔開閉のマウスシャッタを、帽体側に固定されるマウスシャッタ支持部に対して回動可能に支持する支持構造であって、マウスシャッタ開閉における回動中心が少なくとも２箇所以上複数有り、マウスシャッタの閉状態から開状態への開動動作途中で前記の回動中心が切替わるようにしていることを特徴とする支持構造にしたことである。
【０００８】
【発明の実施の形態】
前記支持構造を具体的に実施する構成として、例えば、図1〜図５に示すように、帽体側に固定されるマウスシャッタ支持部と、これに対して回動可能に支持されるマウスシャッタのいずれか一方には、回動を案内する第1案内軸（Ｓ１）と第２案内軸（Ｓ２）が、他方には前記による２つの案内軸に対応して複数の円弧形からなる嵌合部が備えられ、第1案内軸（Ｓ１）に対しては第1嵌合部（Ｕ１）とそれに連設される第２嵌合部（Ｕ２）が、第２案内軸（Ｓ２）に対しては第３嵌合部（Ｕ３）が夫々移動可能に嵌合して備えられ、マウスシャッタ開動作の当初においては、第１案内軸（Ｓ１）は第１嵌合部（Ｕ１）によって、第２案内軸（Ｓ２）は第３嵌合部（Ｕ３）によって夫々案内されることにより、両嵌合部の持つ円弧の共通の中心点である第1中心点（Ｐ１）を回動中心として回動し、開動作の途中、第1案内軸（Ｓ１）が第1嵌合部（Ｕ１）と第２嵌合部（Ｕ２）の連結点に到達した時点から、回動中心を第1中心点（Ｐ１）から第２嵌合部（Ｕ２）の持つ円弧の第２中心点（Ｐ２）に切替えて、第２案内軸（Ｓ２）を中心として回動するような構成とすることが挙げられる。（請求項１）
【０００９】
本発明の支持構造によれば、図５（ａ）〜（ｃ）の開動作においては第１中心点Ｐ１がマウスシャッタ１の回動中心であり、第１嵌合部Ｕ１と第３嵌合部Ｕ３が図５（ｃ）の状態に至ると同時に、マウスシャッタ１の回動中心が第２中心点Ｐ２に切替り、図５（ｄ）〜図５（ｅ）の開動作となって、図５（ｅ）および図４に示す全開状態において、顎ガード部Ａ１の表面から外方へのマウスシャッタ１の突出量を最小限に抑えることができる。
【００１０】
前記で例示した形態は、マウスシャッタ１の回動中心が２箇所とする形態であるが、本発明ではこれに限定されるものではなく、例えば、曲率が異なる円弧を含む嵌合部（図６）や、直線をある角度の曲部を介して連結して構成とする嵌合部（図７）のように、嵌合部の回動中途で回動中心が移動することで２箇所を超える回動中心となる形態も包含する。
【００１１】
図示においては、マウスシャッタ１に各嵌合部を設け、各案内軸をシャッタ支持板２に設けてあるが、本発明はこの逆態様の支持構造も含む。
請求項２において、各嵌合部は、各案内軸が嵌合する形態であれば、孔形態または溝形態のいずれでもよい。
また、図８に示すように、第1案内軸（Ｓ１’）が移動可能に嵌合する第1嵌合部（Ｕ１’）および第２嵌合部（Ｕ２’）と、第２案内軸（Ｓ２’）が移動可能に嵌合する第３嵌合部（Ｕ３’）は溝形態であって、この溝形態とする第２嵌合部（Ｕ２’）と第３嵌合部（Ｕ３’）とには段差を設けて、両嵌合部の交差部においても夫々の軸を他の嵌合部に逸脱させないようにすることがより確実となる。（請求項２）
【００１２】
【実施例】
以下、本発明の実施例を図面に基づいて説明する。
図１はフルフェースヘルメットＡを示し、図３および図４に示すように顎ガード部Ａ１にマウスシャッタ１で開閉される換気孔Ａ２を備えている。
本実施例のフルフェースヘルメットＡは、繊維強化樹脂材で所定の形状に形成された帽体Ｂの内側に、発泡スチロール、若しくは、これと同様の衝撃吸収性能を有する素材を用いて構成された衝撃吸収ライナーＣと、その衝撃吸収ライナーＣの内側に着脱可能に配設されるウレタン材等でなる頭部の内装パッドＤと、頬部及び顎部に対応する両側部に配設された頬パッドＤＬ，ＤＲと、透明または有色透明、且つ、弾性を有する合成樹脂板を用いて所定形状に形成されたシールドＥを備えて構成した周知形態のものである。
【００１３】
マウスシャッタ１は、顎ガード部Ａ１に取付けられたシャッタ支持部２に回動可能に支持され、その表面が全閉状態においてシャッタ支持部２の表面と面一としている。
マウスシャッタ支持部２は、マウスシャッタ１により開閉される換気孔３を備え、顎ガード部Ａ１に開口された貫通口Ａ３に固定され、その表面が顎ガード部Ａ１の表面とほぼ面一としている。
マウスシャッタ１は、基本的にはシャッタ本体１１の左右夫々に設けられた第１嵌合部Ｕ１と第２嵌合部Ｕ２に、マウスシャッタ支持部２の左右夫々に設けられた第１案内軸Ｓ１と第２案内軸Ｓ２が嵌合することにより、シャッタ支持板２に回動可能に支持される構成のものである。
【００１４】
具体的には図２ないし図５に示すように、第１嵌合部Ｕ１と第２嵌合部Ｕ２は、シャッタ本体１１の左右に一体形成された支持板１Ｌ，１Ｒに開孔され、第１案内軸Ｓ１と第２案内軸Ｓ２は、換気孔３における左右に前記支持板１Ｌ，１Ｒと対面するように一体形成された支持板３Ｌ，３Ｒに突出形成してあり、第１案内軸Ｓ１が第１嵌合部Ｕ１に、第２案内軸Ｓ２が第３嵌合部Ｕ３に夫々嵌合することでマウスシャッタ１がシャッタ支持板２に回動可能に支持される。
マウスシャッタ１は、第１中心点Ｐ１と第２中心点Ｐ２の２箇所の回動中心での回動により開閉動作するようにしてあり、図５に示すように、閉状態から開状態に至る回動途中で、回動中心が第１中心点Ｐ１から第２中心点Ｐ２に切替るようにしてある。
【００１５】
以下、回動中心が切替わる構造を詳述すると、図５に示すように、第１嵌合部Ｕ１と第３嵌合部Ｕ３は、マウスシャッタ１の閉状態からの開動作において、最初は第１中心点Ｐ１を回動中心として、夫々径が異なる弧Ｃ１，Ｃ２を描き、マウスシャッタ１の開動作途中で回動中心を第１中心点Ｐ１から第２案内軸Ｓ２と同心とする第２中心点Ｐ２に切替え、さらに、第２嵌合部Ｕ２が切替え後の開動作において第２中心点Ｐ２を回動中心として弧Ｃ３を描く形状に形成してある。
第１嵌合部Ｕ１と第２嵌合部Ｕ２とは、第１中心点Ｐ１から第２中心点Ｐ２に切替る位置において連設されている。
中心点が切替る位置は、マウスシャッタ１の回動途中で第１嵌合部Ｕ１の屈曲部分Ｕ１１が第１案内軸Ｓ１に接触して、第１中心点Ｐ１を回動中心とする回動が終了する位置であり、このとき、第３嵌合部Ｕ３の終端部Ｕ３１が第２案内軸Ｓ２に接触する位置である。（図５（ｃ）参照）
【００１６】
このようにした支持構造によるマウスシャッタ１の開閉動作を図５（ａ）〜（ｅ）に基づいて説明する。
先ず、図５（ａ）に示すように、マウスシャッタ１の全閉状態においては、第１嵌合部Ｕ１の始端部Ｕ１２が第１案内軸Ｓ１に接触し、第２案内軸Ｓ２が第２嵌合部Ｕ２と第３嵌合部Ｕ３の交わる部位（第３嵌合部Ｕ３の始端部Ｕ３２）に位置している。
次に、全閉状態からマウスシャッタ１を開動作させると、図５（ｂ）に示すように、マウスシャッタ１は第１中心点Ｐ１を回動中心として、第１嵌合部Ｕ１と第３嵌合部Ｕ３が第１案内軸Ｓ１と第２案内軸Ｓ２に案内されて回動する。
そして、さらに、マウスシャッタ１が回動すると、図５（ｃ）に示す位置において、第１嵌合部Ｕ１の屈曲部分Ｕ１１が第１案内軸Ｓ１に接触し、第３嵌合部Ｕ３の終端部Ｕ３１が第２案内軸Ｓ２に接触することによって、回動中心が第１中心点Ｐ１から第２中心点Ｐ２に切替えられる。
この位置からマウスシャッタ１を開動作させると、図５（ｄ）に示すように、マウスシャッタ１は第２中心点Ｐ２を回動中心として、第２嵌合部Ｕ２が第１案内軸Ｓ１に案内されて回動する。
そして、全開状態では、図５（ｅ）に示すように、第２嵌合部Ｕ２の終端部Ｕ２１が第１案内軸Ｓ１に接触してマウスシャッタ１の回動が停止する。
【００１７】
本実施例の支持構造によれば、全開状態において、マウスシャッタ１の前端部をシャッタ支持部２の表面から外方へさほど突出させず、しかも、換気孔３の全域を開孔することができる。
【００１８】
図６および図７は、マウスシャッタ１における回動中心を２箇所を超す数とした例を夫々示している。
なお、図６における各嵌合部は、第１嵌合部Ｕ１０、第２嵌合部Ｕ２０、第３嵌合部Ｕ３０とし、図７における各嵌合部は、第１嵌合部Ｕ１０'、第２嵌合部Ｕ２０'、第３嵌合部Ｕ３０'とする。
【００１９】
図６における第１嵌合部Ｕ１０および第３嵌合部Ｕ３０の形態は、嵌合部における円弧の曲率が中途部分から変化する形態のものであり、この異なる曲率の円弧に沿う回動の各々の回動中心点を有している。
具体的には、始端部から回動中途までの円弧Ｃ４，Ｃ４０よりも、当該回動中途から終端部までの円弧Ｃ５，Ｃ５０の径を大きくしたものであり、そのため、円弧Ｃ４，Ｃ４０の回動中心である第１中心点Ｐ３の位置と円弧Ｃ５，Ｃ５０の回動中心である第２中心点Ｐ４が異なる位置となる。
つまり、円弧Ｃ４，Ｃ４０における回動の中心は第１中心点Ｐ３であり、この回動中途から連続して円弧Ｃ５，Ｃ５０に沿う回動に切り替わるとき、その回動の中心が第1中心点Ｐ３から第２中心点Ｐ４の間で徐々に移動して、当該第２中心点Ｐ４に切り替わる。
この場合、回動の中心が第1中心点Ｐ３から第２中心点Ｐ４に移動する状態においても円弧Ｃ５，Ｃ５０に沿う回動があるため、第1中心点Ｐ３から第２中心点Ｐ４の間にも複数の中心点が存在する。
そして、第２中心点Ｐ４を回動中心とする円弧Ｃ５，Ｃ５０に沿う回動が終了すると同時に、第３中心点Ｐ５を回動中心とする円弧Ｃ６に沿う回動が開始される。
したがって、前記実施例におけるマウスシャッタの回動中心の数は、第１、第２、第３中心点の３箇所と、第1中心点Ｐ３から第２中心点Ｐ４の間に存在する複数の中心点であり、このような３箇所以上の複数の回動中心が存在する構成においても実施が可能である。
【００２０】
図７における第１嵌合部Ｕ１０'、第２嵌合部Ｕ２０'、第３嵌合部Ｕ３０'の形態は、複数の直線ＳＴ１〜ＳＴ９を各形状の曲部を介して連結して構成した形態である。
この構成は、マウスシャッタの回動運動において、各案内軸が曲部に接触する度に回動運動が規制されるようにしたものであり、この規制により、マウスシャッタの開操作にラチェット機能が発揮される。
また、この構成においては、マウスシャッタは各直線に沿って移動するため、厳密には回動運動ではないが、マウスシャッタの全体的な動作を見たときにおいては回動運動に近い動作を行う。
つまり、各直線に沿って移動しようとしながら回動しようとする動作となるため、その動作中にずれが生じるが、大きくは回動の中心点Ｐ６および中心点Ｐ７を回動中心とする動作とみなすことができる。
したがって、本実施例の形態も２箇所を超す複数の回動の中心点が存在するものである。
【００２１】
前記実施例における第１嵌合部Ｕ１と第２嵌合部Ｕ２は貫通孔として説明したが、本発明では図８に示す溝形態にすることも任意である。
以下、本実施例の溝形態とする第１嵌合部と第２嵌合部の形態を説明するが、本実施例の第１嵌合部には符号Ｕ１’を、第２嵌合部には符号Ｕ２’を、第３嵌合部には符号Ｕ３’を夫々付す。
また、第１案内軸には符号Ｓ１’を、第２案内軸にはＳ２’を夫々付す。
基本的な外形は、第１嵌合部Ｕ１’、第２嵌合部Ｕ２’および第３嵌合部Ｕ３’共に前記第１嵌合部Ｕ１、第２嵌合部Ｕ２および第３嵌合部Ｕ３と同様である。
第３嵌合部Ｕ３’の底面Ｕ３の高さ位置は、第１嵌合部Ｕ１’と第２嵌合部Ｕ２’の底部Ｕ４から一段下がった位置に有り、これによって第３嵌合部Ｕ３’の周囲に壁面状の段差Ｗが形成される。
第１案内軸Ｓ１’は第１嵌合部Ｕ１’の底部Ｕ４に近接する長さであり、第２案内軸Ｓ２’は第３嵌合部Ｕ３’の底部Ｕ３に近接する長さであって、第２案内軸Ｓ２’は前記段差Ｗに保持されて確実に第３嵌合部Ｕ３’内への嵌合状態が保持される。
本実施例によれば、前記した実施例と同様に、全開状態において、マウスシャッタ１の前端部をシャッタ支持部２の表面から外方へさほど突出させず、しかも、換気孔３の全域を開孔することができる上に、第２案内軸Ｓ２’が段差Ｗによって第３嵌合部Ｕ３’により確実に保持される。
【００２２】
【発明の効果】
本発明は以上説明したとおり、マウスシャッタの全開状態において、マウスシャッタの前端部をシャッタ支持部の表面から外方へさほど突出させず、しかも、換気孔の全域を開孔することができる。
したがって、外気の導入量の増加と良好なデザイン性および操作性を満足させるとともに、ヘルメットの設計自由度の拡大を実現でき、しかも、前記効果を有する支持構造を具体的に提供することができる。
また、請求項２の発明によれば、前記効果に加えて、段差によって第２案内軸が第３嵌合部に、より確実に保持されるので、マウスシャッタの開動作時において、第２案内軸が第３嵌合部から逸脱することなくマウスシャッタを確実に回動案内する上できわめて優れた効果が有る。
【図面の簡単な説明】
【図１】本発明のマウスシャッタの支持構造を実施したフルフェースヘルメットの断面図。
【図２】マウスシャッタの支持構造を示す分解斜視図。
【図３】要部拡大図。
【図４】開状態を示す要部拡大図。
【図５】開閉動作を示す行程図。
【図６】各嵌合部の他の実施例を示す。
【図７】各嵌合部の他の実施例を示す。
【図８】第１嵌合部と第２嵌合部の他の実施例を示す斜視図。
【図９】従来の支持構造を示す断面図。
【図１０】従来の支持構造を示す断面図。
【符号の説明】
Ａ：フルフェースヘルメット
１：マウスシャッタ
Ｓ１，Ｓ１’：第１案内軸
Ｓ２，Ｓ２’：第２案内軸
Ｕ１，Ｕ１’，Ｕ１０：第１嵌合部
Ｕ２，Ｕ２’，Ｕ２０：第２嵌合部
Ｕ３，Ｕ３’，Ｕ３０：第３嵌合部
Ｐ１：第１中心点
Ｐ２：第２中心点
Ｗ：段差
【図１】
0003875650.tif 000002
【図２】
0003875650.tif 000003
【図３】
0003875650.tif 000004
【図４】
0003875650.tif 000005
【図５】
0003875650.tif 000006
【図６】
0003875650.tif 000007
【図７】
0003875650.tif 000008
【図８】
0003875650.tif 000009
【図９】
0003875650.tif 000010
【図１０】
0003875650.tif 000011